(57)【要約】【課題】落下の衝撃によりカバーシャーシが外れて故障する心配が殆どない耐久性の良好な光ディスク装置を提供する。【解決手段】メインシャーシ１の上にカバーシャーシ２を被せ、カバーシャーシ２の後端から突設したボス部１４をメインシャーシ１の受け孔１ａに挿通して取付けた光ディスク装置において、ボス部１４に抜止用係止爪１４ａを形成し、この抜止用係止爪１４ａを受け孔１ａの孔縁部に係止させた構成とする。光ディスク装置を落しても、抜止用係止爪１４ａによってボス部１４の受け孔１ａからの抜出しが阻止されるため、カバーシャーシ２が外れて故障する可能性が激減し、落下衝撃に対する耐久性が大幅に向上する。【選択図】図３
2008108349.tif 000002
【特許請求の範囲】
【請求項１】
メインシャーシの内側に、光ピックアップやターンテーブルなどを搭載したトラバースシャーシを、その後端部で上下回動可能に取付け、メインシャーシの上に、ディスククランパーを回転自在に保持するカバーシャーシを、ディスククランパーがターンテーブルの真上に位置するように被せると共に、カバーシャーシの後端から後方へ突設した複数のボス部をメインシャーシの複数の受け孔に挿通して取付けた光ディスク装置において、
上記ボス部のうち少なくとも上記カバーシャーシの配線基板取付部の近傍に位置するボス部の外周面に抜止用係止爪を上向きに形成し、この抜止用係止爪のボス部先端側の表面を傾斜面となすと共に、この抜止用係止爪のボス部後端側の付根にアール部を形成し、この抜止用係止爪を上記受け孔の孔縁部に係止させたことを特徴とする光ディスク装置。
【請求項２】
メインシャーシの内側に、光ピックアップやターンテーブルなどを搭載したトラバースシャーシを、その後端部で上下回動可能に取付け、メインシャーシの上に、ディスククランパーを回転自在に保持するカバーシャーシを、ディスククランパーがターンテーブルの真上に位置するように被せると共に、カバーシャーシの後端から後方へ突設したボス部をメインシャーシの受け孔に挿通して取付けた光ディスク装置において、
上記ボス部に抜止用係止爪を形成し、この抜止用係止爪を上記受け孔の孔縁部に係止させたことを特徴とする光ディスク装置。
【請求項３】
上記カバーシャーシの後端から突設した複数のボス部のうち、カバーシャーシの配線基板取付部の近傍に位置するボス部に抜止用係止爪を形成したことを特徴とする請求項２に記載の光ディスク装置。
【請求項４】
上記ボス部の外周面に上記抜止用係止爪を上向きに形成したことを特徴とする請求項２又は請求項３に記載の光ディスク装置。
【請求項５】
上記抜止用係止爪のボス部先端側の表面を傾斜面としたことを特徴とする請求項２ないし請求項４のいずれかに記載の光ディスク装置。
【発明の詳細な説明】
【技術分野】
【０００１】
本発明はＣＤ、ＤＶＤなどの光ディスク装置に関し、特に、落下等の衝撃を受けてもカバーシャーシがメインシャーシから外れないように改良した光ディスク装置に関する。
【背景技術】
【０００２】
従来より、メインシャーシの内側に、光ピックアップやターンテーブルなどを搭載したトラバースシャーシを、その後端部で上下回動可能に取付け、メインシャーシの上に、ディスククランパーを回転自在に保持するカバーシャーシを、ディスククランパーがターンテーブルの真上に位置するように被せると共に、カバーシャーシの後端から後方へ突設した複数のボス部をメインシャーシの複数の受け孔に挿通して取付けた光ディスク装置が知られている。
【０００３】
また、メインシャーシの内側に、光ピックアップやターンテーブルなどを搭載したトラバースシャーシを、その後端部で上下回動可能に軸支させて取付け、落下等の衝撃を受けたときにトラバースシャーシの脱落を抑制するため、トラバースシャーシの支軸（ボス）の先端に突起を形成したディスク装置（特許文献１）や、同じ目的でトラバースシャーシの支軸に上向きの抜止め突起を設けたディスク装置（特許文献２）や、同じ目的でトラバースシャーシの支軸に上向きの係止爪と下向きの係止爪を設けた光ディスク再生装置（特許文献３）なども公知になっている。
【特許文献１】特開２００４−１６４７２１号公報
【特許文献２】特開２００３−１０００４３号公報
【特許文献３】特開２００４−２３４７９５号公報
【発明の開示】
【発明が解決しようとする課題】
【０００４】
しかしながら、従来のカバーシャーシをメインシャーシの上に被せて取付けた光ディスク装置は、ユーザーが誤って落下させた場合、その衝撃によりカバーシャーシが弓なりに歪んでボス部がメインシャーシの受け孔から抜け出し、カバーシャーシがメインシャーシから外れて故障する恐れがあった。特に、カバーシャーシのボス部のうち、カバーシャーシの配線基板取付部の近傍に位置するボス部は、配線基板取付部の重量が大きく、落下したときに配線基板取付部のところでカバーシャーシが大きく歪むため、メインシャーシの受け孔から抜け出しやすいという問題があった。
【０００５】
一方、前記特許文献１〜３のディスク装置は、いずれも落下衝撃によりトラバースシャーシの支軸が抜け出してトラバースシャーシが脱落しないように、支軸に突起や係止爪を設けたものであるが、これらのディスク装置にはカバーシャーシがないため、カバーシャーシの脱落を防止する手段は設けられていない。
【０００６】
本発明は上記事情の下になされたもので、その解決しようとする課題は、ユーザーが誤って落とすようなことがあっても、その落下の衝撃によりカバーシャーシが外れて故障する心配が殆どない耐久性の良好な光ディスク装置を提供することにある。
【課題を解決するための手段】
【０００７】
上記課題を解決するため、本発明に係る光ディスク装置は、メインシャーシの内側に、光ピックアップやターンテーブルなどを搭載したトラバースシャーシを、その後端部で上下回動可能に取付け、メインシャーシの上に、ディスククランパーを回転自在に保持するカバーシャーシを、ディスククランパーがターンテーブルの真上に位置するように被せると共に、カバーシャーシの後端から後方へ突設したボス部をメインシャーシの受け孔に挿通して取付けた光ディスク装置において、上記ボス部に抜止用係止爪を形成し、この抜止用係止爪を上記受け孔の孔縁部に係止させたことを特徴とするものである。
【０００８】
本発明の光ディスク装置においては、カバーシャーシの後端から突設した複数のボス部のうち、カバーシャーシの配線基板取付部の近傍に位置するボス部に抜止用係止爪を形成することが好ましい。また、ボス部の外周面に抜止用係止爪を上向きに形成することが好ましく、更に、抜止用係止爪のボス部先端側の表面を傾斜面とすることが好ましい。
【０００９】
そして、本発明の一層具体的な好ましい光ディスク装置は、メインシャーシの内側に、光ピックアップやターンテーブルなどを搭載したトラバースシャーシを、その後端部で上下回動可能に取付け、メインシャーシの上に、ディスククランパーを回転自在に保持するカバーシャーシを、ディスククランパーがターンテーブルの真上に位置するように被せると共に、カバーシャーシの後端から後方へ突設した複数のボス部をメインシャーシの複数の受け孔に挿通して取付けた光ディスク装置において、上記ボス部のうち少なくとも上記カバーシャーシの配線基板取付部の近傍に位置するボス部の外周面に抜止用係止爪を上向きに形成し、この抜止用係止爪のボス部先端側の表面を傾斜面となすと共に、この抜止用係止爪のボス部後端側の付根にアール部を形成し、この抜止用係止爪を上記受け孔の孔縁部に係止させたことを特徴とするものである。
【発明の効果】
【００１０】
本発明の光ディスク装置のように、カバーシャーシのボス部に抜止用係止爪を形成し、この抜止用係止爪をメインシャーシの受け孔の孔縁部に係止させると、誤って光ディスク装置を落した場合でも、抜止用係止爪によってボス部が受け孔から抜出し難くなるため、カバーシャーシが外れて故障する可能性が激減し、落下衝撃に対する耐久性が大幅に向上する。特に、カバーシャーシの配線基板取付部は重量が重く、落下の衝撃で大きく歪みやすいため、この配線基板取付部の近傍に位置するボス部に抜止用係止爪を形成すると、カバーシャーシの外れ防止効果が顕著になる。
【００１１】
そして、ボス部の外周面に抜止用係止爪を上向きに形成したものは、カバーシャーシをメインシャーシに被せて取付ける際に、カバーシャーシを斜め上方に傾斜させた姿勢で、抜止用係止爪を受け孔の孔縁部に下方から引掛けてボス部の先端部分を受け孔に斜めに挿入し、抜止用係止爪を引掛けたところを支点としてカバーシャーシを下向きに回動させることにより、ボス部を簡単に受け孔に挿通して抜止用係止爪を受け孔の孔縁部に係止させることができるので、カバーシャーシの取付け作業が容易になる。その場合、抜止用係止爪のボス部先端側の表面を傾斜面にしてあると、ボス部を受け孔に挿通して抜止用係止爪を受け孔の孔縁部に係止させる上記の作業が一層し易くなる。
【００１２】
また、本発明の更に具体的な好ましい光ディスク装置のように、抜止用係止爪のボス部後端側の付根にアール部を形成したものは、抜止用係止爪の破壊強度が向上し、落下衝撃によって抜止用係止爪が破壊され難いため、より確実にボス部の抜けを防止して、顕著なカバーシャーシ外れ防止効果を奏するようになる。
【発明を実施するための最良の形態】
【００１３】
以下、図面を参照して本発明の具体的な実施形態を詳述する。
【００１４】
図１は本発明の一実施形態に係る光ディスク装置の平面図、図２は同光ディスク装置の要部拡大斜視図、図３は図１のＡ−Ａ線拡大断面図、図４は、カバーシャーシの背面図である。
【００１５】
この光ディスク装置は、図１に示すように、合成樹脂製のメインシャーシ１の上に合成樹脂製のカバーシャーシ２を被せて取付けたものであって、メインシャーシ１の内側には、金属板を加工して製作したトラバースシャーシ３がその後端両側部で上下回動可能に取付けられている。
【００１６】
トラバースシャーシ３には、光ピックアップ４やターンテーブル５などが搭載されており、光ピックアップ４は、ガイド軸６に沿って、トラッキング方向、即ちターンテーブル５に対して接近・離反する方向に移動するようになっている。そして、ターンテーブル５はトラバースシャーシ２に搭載されたスピンドルモータの出力軸に固定されており、トラバースシャーシ２が上向きに回動（上昇）したときに、カバーシャーシ２のクランパー保持部２ａに保持されたクランパー７と、このターンテーブル５との間に光ディスクを挟んで回転させるようになっている。
【００１７】
また、メインシャーシ１の前面のディスク挿入口の奥には、光ディスクを出し入れするローラ８が取付けられており、このローラ８が取付けられたメインシャーシ１の前縁部の裏側には、カムスライダー９が左右スライド可能に取付られている。そして、このカムスライダー９のカム溝には、トラバースシャーシ３の前端の凸部３ａが挿入されており、カムスライダー９が左右にスライドすると、凸部３ａがカム溝内を摺動してトラバースシャーシ３が上下に回動（昇降）するようになっている。
【００１８】
一方、カバーシャーシ２の上面の片側には配線基板取付部２ｂが形成されており、そこに配線基板（不図示）が取付けられるようになっている。そして、この配線基板取付部２ｂと反対側のカバーシャーシ上面には、レバー１０が回転可能に取付けられており、また、カバーシャーシ２の中央部の裏面には、第一のスライド部材１１が取付けられている。この第一のスライド部材１１は、ディスク挿入口から挿入された光ディスクに押されてガイドスリット２ｃ沿いにスライドするようになっており、このスライド部材１１のガイドスリット２ｃから突き出した連結用突起１１ａには、上記レバー１０の一端の長穴１０ａが嵌合連結されている。そして、このカバーシャーシ２は、その保持するクランパー７が前記のターンテーブル５の真上に位置するようにメインシャーシ１の上に被せて取付けられている。
【００１９】
また、メインシャーシの片側には、第二のスライド部材１２が前後スライド可能に設けられており、このスライド部材１２の後端の長穴１２ａには、上記レバー１０の他端側の連結用突起１０ｂ（カバーシャーシ２の円弧溝２ｄから裏側へ突き出した突起）が嵌合連結されている。この第二のスライド部材１２は、引張りバネで後方に付勢されており、このスライド部材１２の前端に形成された凸部１２ｂは、カムスライダーのトリガーガイド溝９ａに係合している。
【００２０】
このような光ディスク装置は、次のように動作して記録・再生が行われる。即ち、光ディスクをディスク挿入口に挿入すると、光ディスクはローラ８によってターンテーブル５の方へ移送され、第一のスライド部材１１が光ディスクに押されてガイドスリット２ｃに沿って後方へスライドする。すると、レバー１０が反時計回り方向に回動し、第二のスライド部材１２が前方に移動するため、この第二のスライド部材１２の先端の凸部１２ｂ（トリガーガイドに係合している凸部）によってカムスライダー９が右方向へ少し移動する。これにより、カムスライダー９のラックギヤ９ｂが駆動用ピニオンギヤ１３と噛合してカムスライダー９は右方向へ移動し、トラバースシャーシ３が上向きに回動（上昇）して、ターンテーブル５とクランパー７との間に光ディスクが挟まれて回転する。すると、光ピックアップ４がガイド軸６に沿ってターンテーブル５の方へ移動しながら、レーザービームを光ディスクに照射し、その反射ビームが光ピックアップ４の光検出器で検出されて、記録・再生が行われる。そして、記録・再生が終わると、上記と逆動作して光ディスクがディスク挿入口から排出される。
【００２１】
この光ディスク装置の大きい特徴は、メインシャーシ１に対するカバーシャーシ２の後端部の取付構造にある。即ち、図１〜図４に示すように、このカバーシャーシ２の後端に形成された左右の垂下片２ｅには、左右一対のボス部１４が後方に向かって突設されており、これらのボス部１４は、メインシャーシ１の後端部に形成された左右一対の受け孔１ａに挿入されている。そして、このボス部１４の外周面には抜止用係止爪１４ａが上向きに突設され、この抜止用係止爪１４ａが受け孔１ａの孔縁部に係止されている。また、この抜止用係止爪１４ａのボス部先端側の表面１４ｂは傾斜面とされ、抜止用係止爪１４ａのボス部後端側の付根にはアール部１４ｃが形成されている。尚、図３において、１４ｄはボス部１４が根元から折損しないように、ボス部１４の付根に設けた補強用のリブである。
【００２２】
一方、メインシャーシ１の受け孔１ａの上側には、図２に示すように、強度を向上させるためのアーチ部１ｂが形成されており、受け孔１ａの両側にも補強用のリブ１ｃが形成されている。
【００２３】
上記のような取付構造でカバーシャーシ２の後端部をメインシャーシ１の後端部に取付けた光ディスク装置は、ユーザーが誤って落とした場合でも、抜止用係止爪１４ａによって受け孔１ａからのボス部１４の抜け出しが阻止されるため、落下の衝撃でカバーシャーシ２が外れて故障する恐れが激減し、落下衝撃に対する耐久性が大幅に向上する。しかも、ボス部１４の外周面に抜止用係止爪１４ａを上向きに形成したため、カバーシャーシ２をメインシャーシ１に被せて取付ける際に、図３に仮想線で示すように、カバーシャーシ２を斜め上方に傾斜させた姿勢で、抜止用係止爪１４ａを受け孔１ａの上側の孔縁部に下方から引掛けてボス部１４の先端部分を受け孔１ａに斜めに挿入し、この抜止用係止爪１４ａを引掛けたところを支点としてカバーシャーシ２を下向きに回動させることにより、ボス部１４を簡単に受け孔１ａに挿通して抜止用係止爪１４ａを受け孔１ａの孔縁部に係止させることが可能となる。従って、カバーシャーシ２の後端部の取付け作業も容易になる。その場合、抜止用係止爪１４ａのボス部先端側の表面１４ｂが傾斜面とされていると、ボス部１４を受け孔１ａに挿通して抜止用係止爪１４ａを受け孔１ａの孔縁部に係止させる上記の作業が一層容易になる利点がある。また、抜止用係止爪１４ａのボス部後端側の付根にアール部１４ｃが形成されていると、抜止用係止爪１４ａの破壊強度が向上し、落下衝撃によって抜止用係止爪１４ａが付根部分から割れたり欠けたりし難いため、より確実にボス部１４の抜けを防止して、優れたカバーシャーシ外れ防止効果を発揮することができる。
【００２４】
加えて、この光ディスク装置は、メインシャーシ１の受け孔１ａの上側に強度を向上させるためのアーチ部１ｂを形成すると共に、受け孔１ａの両側にも補強用のリブ１ｃを形成しているため、落下したときにボス部１４の抜止用係止爪１４ａが受け孔１ａの孔縁部に強く当たっても、その衝撃で受け孔１ａの孔縁部が破壊してボス部１４が抜出す恐れは殆どない。従って、この光ディスク装置は、カバーシャーシの外れ防止効果が顕著であり、耐久性が大幅に向上する。
【００２５】
上記実施形態の光ディスク装置では、左右双方のボス部１４に抜止用係止爪１４ａを設けているが、右側のボス部１４のみに抜止用係止爪１４ａを設けるようにしてもよい。即ち、配線基板が取付けられるカバーシャーシ２の右側の配線基板取付部２ｂは重量が重く、カバーシャーシ２の軽い左側部分に比べると、落下の衝撃を受けたときの歪みが遥かに大きいため、この配線基板取付部２ｂの近傍に位置する右側のボス部１４に抜止用係止爪１４ａを形成するのが最も効果的であり、従って、この右側のボス部１４のみに抜止用係止爪１４ａを形成しただけでも、充分な外れ防止効果を得ることができ、本発明の目的を達成することができる。
【図面の簡単な説明】
【００２６】
【図１】本発明の一実施形態に係る光ディスク装置の平面図である。
【図２】同光ディスク装置の要部拡大斜視図である。
【図３】図１のＡ−Ａ線拡大断面図である。
【図４】カバーシャーシの背面図である。
【符号の説明】
【００２７】
１    メインシャーシ
１ａ  受け孔
２    カバーシャーシ
２ｂ  配線基板取付部
３    トラバースシャーシ
４    光ピックアップ
５    ターンテーブル
７    クランパー
８    ローラ
９    カムスライダー
１４  ボス部
１４ａ  抜止用係止爪
１４ｂ  抜止用係止爪のボス部先端側の表面（傾斜面）
１４ｃ  アール部
【図１】
2008108349.tif 000003
【図２】
2008108349.tif 000004
【図３】
2008108349.tif 000005
【図４】
2008108349.tif 000006